(57)【要約】      （修正有）【課題】充分な滑り止め効果を有すると共に、外観上の美感をも向上させたおろし器を提供する。【解決手段】上端部が一方から他方に向けて次第に傾斜した上方開放の箱型の容器２と、前記上端部に脱着可能なおろし板３によって構成されるおろし器１において、容器の底部２３には全面にわたって滑り止めが設けられ、容器の側面部２２のうち、前記上端部の傾斜の高い側の左右側面には、滑り止めを設けることによって把持部２４が形成され、前記底部２３の滑り止めと前記把持部２４の滑り止めとが同一の材質で一連に形成されていると共に、前記底部２３と把持部２４の滑り止めと、他の部分とは異なる材質で形成されており、これらが一体に成形されていることを特徴とする。【選択図】図１
0003182067.tif 000002
【実用新案登録請求の範囲】
【請求項１】
上端部が一方から他方に向けて次第に傾斜した上方開放の箱型の容器と、
前記上端部に脱着可能なおろし板によって構成されるおろし器において、
容器の底部には全面にわたって滑り止めが設けられ、
容器の側面部のうち、前記上端部の傾斜の高い側の左右側面には、滑り止めを設けることによって把持部が形成され、
前記底部の滑り止めと前記把持部の滑り止めとが同一の材質で一連に形成されていると共に、
前記底部と把持部の滑り止めと、他の部分とは異なる材質で形成されており、これらが一体に成形されていることを特徴とするおろし器。
【請求項２】
容器の上端部の全周にわたって滑り止めが設けられ、
この上端部の滑り止めが、底部と把持部の滑り止めと同一の材質で一連に形成されていることを特徴とする請求項１に記載のおろし器。
【請求項３】
容器が矩形であって、側面部の四隅に滑り止めが設けられ、
この四隅に設けられた滑り止めが、底部と把持部の滑り止めと同一の材質で一連に形成されていることを特徴とする請求項１又は２に記載のおろし器。
【請求項４】
把持部に、凹部が設けられていることを特徴とする請求項１〜３のいずれかに記載のおろし器。
【請求項５】
上端部の内周に、おろし板を載置するための段部が設けられていることを特徴とする請求項１〜４のいずれかに記載のおろし器。
【請求項６】
上端部の内周に設けられた段部が、複数枚のおろし板を載置可能な深さであることを特徴とする請求項５に記載のおろし器。
【請求項７】
おろし板が２枚から構成され、１枚は、表裏で粗め又は細かめを使い分けることができる野菜おろし板であり、もう１枚は、野菜薄切り板であることを特徴とする請求項１〜６のいずれかに記載のおろし器。
【考案の詳細な説明】
【技術分野】
【０００１】
本考案は、食材をすりおろし、薄切りし又は繊切り等するためのおろし器に関し、詳しくは、おろし板と容器とから構成されるおろし器に関する。
【背景技術】
【０００２】
従来より、おろし板と容器とから構成されるおろし器が、以下に示すとおり種々提案されている。
【０００３】
特許文献１に記載の技術は、『おろす部分と、おろした物を受ける受皿によって構成されるおろし器において、受皿の底面に対しておろす部分の面が傾斜しているおろし器』であり、『受皿の底面にすべり防止用ゴムを接着しておく』ものである。
【０００４】
特許文献２に記載の技術は、『容器の上縁に、粗目の歯と細目の歯を両面に設けるとともに表裏に貫通する横孔をおろす方向の前後に多段に設けたおろし板を着脱自在に重ねたおろし器』であって、『容器は、おろし方向の手前側になる側面に湾曲させた下端面が接地する把手を有するとともに、該把手の下端と容器の下部とに、クッション兼用の滑り止めを有する』構成であって、『おろし板は、おろす方向に対して左右で前後を形成するように右上がりに傾斜』する構成である。
【０００５】
しかし、これらの技術では、すべり防止効果が不十分であり、かつ外観上の美感が考慮されていないという問題点があった。
【０００６】
【特許文献１】実開昭６３−８３１３９
【特許文献２】実開平５−３９４３７
【考案の開示】
【考案が解決しようとする課題】
【０００７】
そこで、本考案の課題は、充分な滑り止め効果を有すると共に、外観上の美感をも向上させたおろし器を提供することにある。
【課題を解決するための手段】
【０００８】
上記課題を解決する本考案は、下記構成を有する。
１．上端部が一方から他方に向けて次第に傾斜した上方開放の箱型の容器と、
前記上端部に脱着可能なおろし板によって構成されるおろし器において、
容器の底部には全面にわたって滑り止めが設けられ、
容器の側面部のうち、前記上端部の傾斜の高い側の左右側面には、滑り止めを設けることによって把持部が形成され、
前記底部の滑り止めと前記把持部の滑り止めとが同一の材質で一連に形成されていると共に、
前記底部と把持部の滑り止めと、他の部分とは異なる材質で形成されており、これらが一体に成形されていることを特徴とするおろし器。
【０００９】
２．容器の上端部の全周にわたって滑り止めが設けられ、
この上端部の滑り止めが、底部と把持部の滑り止めと同一の材質で一連に形成されていることを特徴とする前記１に記載のおろし器。
【００１０】
３．容器が矩形であって、側面部の四隅に滑り止めが設けられ、
この四隅に設けられた滑り止めが、底部と把持部の滑り止めと同一の材質で一連に形成されていることを特徴とする前記１又は２に記載のおろし器。
【００１１】
４．把持部に、凹部が設けられていることを特徴とする前記１〜３のいずれかに記載のおろし器。
【００１２】
５．上端部の内周に、おろし板を載置するための段部が設けられていることを特徴とする前記１〜４のいずれかに記載のおろし器。
【００１３】
６．上端部の内周に設けられた段部が、複数枚のおろし板を載置可能な深さであることを特徴とする前記５に記載のおろし器。
【００１４】
７．おろし板が２枚から構成され、１枚は、表裏で粗め又は細かめを使い分けることができる野菜おろし板であり、もう１枚は、野菜薄切り板であることを特徴とする前記１〜６のいずれかに記載のおろし器。
【考案の効果】
【００１５】
前記１に示す考案によれば、容器の底部の全面にわたって滑り止めが設けられたことによって、食材をおろす際に横方向に強い力を加えたとしても、容器とテーブル等の面との間に滑りが生じ難くなる。また、食材をおろす際に、使用者が容器を支える位置に滑り止めが設けられた把持部を形成することによって、使用者の手と容器との間にも滑りが生じ難くなる。
更に、底部の滑り止めと把持部の滑り止めとが同一の材質で一連に形成されていること、及び、底部及び把持部の滑り止めと、他の部分とが異なる材質で形成されており、これらが一体に成形されていることとが相俟って、外観上の美感を向上させることができる。
【００１６】
前記２に示す考案によれば、容器の上端部の全周にわたって滑り止めが設けられたことによって、使用者が容器の上端部を支えて使用する場合にも、使用者の手と容器との間に滑りが生じ難くなる。
また、上端部の滑り止めが、底部と把持部の滑り止めと同一の材質で一連に形成されていることによって、外観上の美感を更に向上させることができる。
【００１７】
前記３に示す考案によれば、容器が矩形であって、側面部の四隅に滑り止めが設けられたことによって、使用者が把持部とは反対側を支えたとしても、使用者の手と容器との間に滑りが生じ難くなると共に、誤って落下させた場合にも衝撃に強くなる。
また、四隅に設けられた滑り止めが、底部と把持部の滑り止めと同一の材質で一連に形成されていることによって、容器の端部が全て滑り止めによって同一の材質で一連に形成されていることになり、全体として堅牢な印象を生じさせるまとまりのある意匠となり、外観上の美感を更に向上させることができる。
【００１８】
前記４に示す考案によれば、把持部に凹部を設けることによって、使用者の手（指先）に馴染み易い形状とすることができ、同じく把持部に設けられた滑り止めと相俟って、使用者の手と容器との間に滑りが生じ難くなる。
【００１９】
前記５に示す考案によれば、上端部の内周におろし板を載置するための段部を設けることによって、おろし板がこの段部に嵌め込まれるので、おろし板で野菜等をすりおろす際に強い力が加えられたとしても、おろし板が容器から脱落することを防ぐことができる。
【００２０】
前記６に示す考案によれば、上端部の内周に設けられた段部を、２枚のおろし板を載置可能な深さとすることで、例えば、食材をすりおろし、薄切りし又は繊切りするため等の
用途が異なるおろし板を２枚以上用意し、これを同時に収納することができる。
【００２１】
前記７に示す考案によれば、野菜調理において特に使用頻度が高い、野菜をおろす又は薄切りにするという機能を１台のおろし器で使用することができる。
【図面の簡単な説明】
【００２２】
【図１】本考案に係るおろし器の一実施例を表す六面図
【図２】おろし板を取り外した状態におけるおろし器の一実施例を表す六面図
【図３】おろし板を取り外した状態におけるおろし器の一実施例を表すＡ−Ａ断面図及びＢ−Ｂ断面図
【図４】おろし板の一例を表す表面図及び裏面図
【図５】おろし板の他の一例を表す表面図、裏面図及び左側面図
【考案を実施するための最良の形態】
【００２３】
添付の図面に従って、本考案に係るおろし器１（以下、「おろし器１」ともいう。）を詳細に説明する。
図１は、本考案に係るおろし器１の一実施例を表す六面図であって、背面図は正面図と対称に表れるため省略する。また、後述するおろし板３は、破線で表す。
図２は、おろし板３を取り外した状態におけるおろし器１の一実施例を表す六面図であり、同じく背面図は省略する。
【００２４】
本考案に係るおろし器１は、図１に示されるように、容器２及びおろし板３によって構成されている。おろし板３によって、野菜やチーズ等の食材をすりおろし、薄切りし又は繊切りする等することができ、このすりおろし等された食材を容器２に収容することができる。
【００２５】
容器２は、上端部２１、側面部２２及び底部２３を有する上方開放の箱型の容器である。図１又は図２において、容器２は、矩形形状に表わされているが、その形状に限定はなく、例えば、平面視円形、楕円形、正方形、三角形、その他の多角形等、この種の容器の形状として公知公用の形状を特別の制限なく採用することができる。
【００２６】
上端部２１は、容器２の上方に位置する端部であり、この端部の全周を指し示している。この上端部２１には、後述するおろし板３が脱着可能に取り付けられる。
【００２７】
上端部２１は、図１又は図２に示されるように、一方から他方に向けて次第に傾斜している。傾斜角度は、底面２３を構成する平面を基準にした場合に、３度〜２０度の傾きを設けることが好ましく、５度〜１０度の傾きを設けることがより好ましい。上端部２１に傾斜を設けるのは、この上端部２１に取り付けられるおろし板３の取り付け位置に傾斜を設けるためであり、食材をすりおろし等し易いようにするためである。
【００２８】
図３は、おろし板３を取り外した状態におけるおろし器１の一実施例を表すＡ−Ａ断面図及びＢ−Ｂ断面図である。この図３によって、滑り止めが設けられる箇所及び範囲が表わされる。
上端部２１には、全周にわたって滑り止めを設けることができる。図１〜図３において、薄墨を付して表わされる部分は、滑り止め材で形成された箇所であり、上端部２１にも滑り止めが施されている。
【００２９】
上端部２１に用いられる滑り止め材に限定はないが、弾力性を有するゴム状の合成樹脂（エラストマー）を採用することが好ましい。滑り止め効果と共に、衝撃吸収効果をも併せ持ち、更に、熱硬化性エラストマーを採用すれば、耐熱効果をも得ることができ、食器
洗浄器での使用にも耐えることができるためである。
【００３０】
上端部２１における滑り止めは、図３にも示されるように、上端部２１の内周及び外周に及んでいることが好ましい。このような構成とする利点は、以下のとおりである。
【００３１】
上端部２１の内周には、後述するようにおろし板３が取り付けられるため、食材をすりおろし等する場合に、このおろし板３によって横方向の力が加えられ、強い接触・衝撃を受ける場合がある。このような場合でも、上記のように滑り止め材としてエラストマー等を採用することにより、おろし板３からの接触による衝撃を吸収することができ、容器２の劣化を防止・抑制することができ、更には、接触・衝撃による音の発生を防止・抑制することができる。
【００３２】
上端部２１の外周は、おろし器１を使用する際や、洗浄する際に触れる機会が多く、更には、調理中には手が濡れていることも少なくないことから、滑り止めを設けることが好ましい。更に、おろし器１又は容器２のみを誤って落下させ、上端部２１が床面に強く叩きつけられたとしても、この滑り止め材が衝撃を吸収し、破壊・損壊を防止・抑制することができる。
【００３３】
上端部２１の内周には、図３に表わされるように、おろし板３を載置して取り付けるための段部２６を設けることができる。段部２６を設ける構成とすることで、、おろし板３がこの段部２６に嵌合又は遊嵌されるので、おろし板３で野菜等をすりおろし等する際に強い力が加えられたとしても、おろし板３が容器２から脱落することを防ぐことができる。
【００３４】
段部２６は、おろし板３が２枚載置可能な深さであることが好ましい。例えば、食材をすりおろし、薄切りし又は繊切りするため等の用途が異なるおろし板３を複数枚用意し、これを同時に収納することができるためである。この場合において、段部２６の深さは、おろし板３の２枚分の厚さは必要なく、１枚分の厚さに数ｍｍを加えただけでも足りる。２枚のおろし板３を段部２６に載置して使用するのではなく、使用時には選択された１枚のおろし板３を載置して、収納時にのみ２枚のおろし板３を載置できればよい。尚、３枚以上のおろし板３を載置可能な深さとすることは構わない。
【００３５】
図１又は図２の正面図や側面図に示されるように、上端部２１は、全周にわたって外側に反り返るように形成することができる。このような形状に形成することによって、容器２を上から持った場合にも、この反り返った上端部２１に指が掛かり持ち易くなる。
【００３６】
側面部２２は、図１又は図２に示されるように、上端部２１が一方から他方に向けて次第に傾斜しているため、上端部２１の傾斜の高い側は深く（以下、「深側」という。）、上端部２１の傾斜の低い側は浅い（以下、「浅側」という。）形状である。
【００３７】
側面部２２の深側には、把持部２４が設けられている。把持部２４は、滑り止め材で形成されることによって設けられる。把持部２４を設けることによって、使用者の手と容器２との間に滑りが生じることを防止・抑制することができる。
【００３８】
また、図１又は図２に示されるように、容器２が矩形又は平面視多角形である場合には、側面部の四隅又は各隅に滑り止めを設けることが好ましい。使用者が把持部２６とは異なる箇所を持ったとしても、使用者の手と容器２との間に滑りが生じ難くなり、更には、容器２を誤って落下させた場合にも、衝撃を吸収して破壊・損壊等することを防止・抑制することができる。
【００３９】
把持部２４及び側面部２２の隅に設けられる滑り止め材に限定はないが、弾力性を有するゴム状の合成樹脂（エラストマー）を採用することが好ましい。優れた滑り止め効果を有すると共に、熱硬化性エラストマーを採用すれば、耐熱効果をも得ることができ、食器洗浄器での使用にも耐えることができるためである。
【００４０】
把持部２４には、図１〜図３に示されるように、凹部２５を設けることが好ましい。凹部２５を設けることによって、使用者の手（指先）に馴染み易い形状とすることができ、同じく把持部２４に設けられた滑り止めと相俟って、使用者の手と容器２との間に滑りがより生じ難くなる。
【００４１】
底部２３には、全面にわたって滑り止めが設けられている。局所的にではなく、全面にわたって滑り止めが設けられることによって、食材をおろす際に横方向に強い力を加えたとしても、容器２とテーブル等の面との間に滑りが生じ難くなる。
底部２３における滑り止めは、図１〜図３に示されるように、側面部２２の一部に及んでもよい。このように、滑り止めを設ける箇所を広くすることによって、側面部２２と底部２３とを結合する隅の部分にも滑り止めが設けられるので、容器２を誤って落下させた場合にも、衝撃を吸収して破壊・損壊等することを防止・抑制することができる。
【００４２】
底面部２３設けられる滑り止め材に限定はないが、弾力性を有するゴム状の合成樹脂（エラストマー）を採用することが好ましい。優れた滑り止め効果を有すると共に、熱硬化性エラストマーを採用すれば、耐熱効果をも得ることができ、食器洗浄器での使用にも耐えることができるためである。
【００４３】
把持部２４及び底部２３に用いられる滑り止め材は、同一の材質で一連に形成されている。また、上端部２１や側面部２２の隅に滑り止めが設けられる場合には、これらを含む滑り止めの全てが、同一の材質で一連に形成されていることが好ましい。容器２の端部が全て滑り止めによって同一の材質で一連に形成されていることになり、全体として堅牢な印象を生じさせるまとまりのある意匠となり、外観上の美感を更に向上させることができる。
各部の説明でも述べたが、滑り止めを形成する素材に限定はなく、例えば、弾力性を有するゴム状の合成樹脂（エラストマー）を採用することが好ましい。
【００４４】
一方で、滑り止め部分と、他の部分、特に滑り止め部分以外の部分とは、異なる材質で形成されており、インサート成形等によって、これらが一体に成形されている。このような構成を採用し、滑り止め部分と他の部分との素材感に差異を持たせることで、容器２の外観上の美感を向上させることができる。また、これらの異なる材質を異なる色彩にすれば、ツートーンカラーの外観にすることもでき、容器２の外観上の美感をさらに向上させることができる。
【００４５】
上記他の部分を形成する材質に限定はなく、調理器や食器に用いられる合成樹脂や金属等の公知公用の材質を特別の制限なく採用することができ、例えば、ＡＢＳ樹脂を挙げることができる。
【００４６】
おろし板３，４は、野菜やチーズ等の食材をすりおろし、薄切りし又は繊切りする等することができる調理器の一種であり、容器２の上端部２１に脱着可能に取り付けられる構成である。前述のとおり、上端部２１は、一方から他方に向けて次第に傾斜しているので、おろし板３，４も傾斜して取り付けられている。
【００４７】
前述のとおり、おろし板３，４は、容器２の上端部２１に取り付けられるので、すりおろす際に加わる強い力によっても容器２から脱落しないように固定されている。例えば、
上端部２１に段部２６を設け、この段部２６におろし板３を載置し、上端部２１の内周に嵌合又は遊嵌される構成が好ましい。この構成を採用することによって、容器２に段部２６を設ければ、おろし板３，４には固定手段を設ける必要がなく、おろし板３，４の外周形状を段部２６が設けられた上端部２１の内周に対応した形状とするだけでよい。
【００４８】
上述のように、おろし板３，４の外周形状を容器３の上端部２１の内周に対応した形状とする以外には、おろし板３，４の形状や構成に限定はなく、野菜やチーズ等の食材をすりおろし、薄切りし又は繊切りする等することができる調理器の一種として公知公用のおろし板を特別の制限なく採用することができる。
【００４９】
おろし器１を大根等の野菜おろしとして使用する場合には、おろし板３として野菜おろし板を用い、例えば、図４に示されるような形状に形成することができる。
即ち、図４に示されるおろし板３は、表面３１と裏面３２からなる板状体であって、表面３１と裏面３２に通ずる複数の開口３３が設けられ、表面３１と裏面３２の一方又は両方に鋭利な小突起からなる突起刃３４が設けられた形状とすることができる。また、表面３１と裏面３２にそれぞれ設けられる突起刃３４は、一方の突起刃３４を大きく形成して粗め用とし、他方の突起刃３４を小さく形成して細かめ用とすることができ、表裏で粗め又は細かめを使い分けることができる。更にまた、使用者の指が挿入できる程度の大きさを有する係止孔３５を設け、おろし板３の脱着を容易にする構成を採用することもできる。
尚、図４においては、表面及び裏面のみが表わされているが、適当な強度を与えるため、おろし板３は、数ｍｍ程度の厚さを有する場合がある。
【００５０】
また、おろし器１を野菜を薄切りすることができるスライサーとして使用する場合には、おろし板４として野菜薄切り板を用い、例えば、図５に示されるような形状に形成することができる。
即ち、図５に示されるおろし板４は、図４に示されるおろし板３と同様に、表面４１と裏面４２からなる板状体であって、開口４３と、この開口４３に沿って長刃４４が設けられた形状とすることができる。更に、上記板状体に設けられた軸４５に回動可能に取り付けられ、図４におけるおろし板３と同様に係止孔４８が設けられた可動板４７と、同じく板状体に設けられたレール４６に摺動可能に取り付けられたレバー４９が設けられる構成にすることができる。
【００５１】
可動板４７は、図５の左側面図において矢印で示される方向に、軸４５を支点として回動可能であり、角度を変えることによって、長刃４４との間隔を調整することができ、野菜等のスライス幅を調整することができる。
レバー４９は、図５の裏面図において矢印で示される方向に、レール４６上を摺動可能であり、位置を変えることによって、可動板４７の角度を変えることができる。即ち、レバー４９を、長刃４４に近づけると角度は小さくなるので、長刃４４と可動板４７の間隔は狭くなり、野菜等のスライス幅を薄くすることができる。他方、レバー４９を、長刃４４から遠ざけると角度は大きくなるので、長刃４４と可動板４７の間隔は広がり、野菜等のスライス幅を厚くすることができる。
【００５２】
図４〜図５に示される例の他、繊切り板、チーズ削り板等、野菜やチーズ等の食材をすりおろし、薄切りし又は繊切り等することができる調理器として公知公用の構成を特別の制限なく採用することができる。
【００５３】
おろし板３，４を形成する材質に限定はなく、調理器や食器に用いられる合成樹脂や金属等の公知公用の材質を特別の制限なく採用することができ、例えば、ＡＢＳ樹脂を挙げることができる。
【符号の説明】
【００５４】
１  おろし器
２  容器
２１  上端部
２２  側面部
２３  底部
２４  把持部
２５  凹部
２６  段部
３  おろし板
３１  表面
３２  裏面
３３  開口
３４  突起刃
３５  係止孔
４  おろし板
４１  表面
４２  裏面
４３  開口
４４  長刃
４５  軸
４６  レール
４７  可動板
４８  係止孔
４９  レバー
【図１】
0003182067.tif 000003
【図２】
0003182067.tif 000004
【図３】
0003182067.tif 000005
【図４】
0003182067.tif 000006
【図５】
0003182067.tif 000007